(57)【要約】【課題】ミキシングスプリアスの低減を目的として、干渉要因となるブロック間クロックの周波数を高周波とすることで十分なフィルタ除去効果を確保する手段を提供することにある。【解決手段】集積回路内のモジュール間での基準動作クロックの送受信を高周波数とする。これにより十分なフィルタ除去効果が得られるだけでなく、ｎ次高調波の早期減衰が期待できる。また、該基準動作クロックを受けたモジュールで分周した後、他のモジュールに送信することでモジュール間での基準動作クロックの送受信に用いる信号線長自体を短縮し、ノイズの発生を抑止する。【選択図】図３
2010258750.tif 000002
【特許請求の範囲】
【請求項１】
第１の基準動作クロックで動作する第１のモジュールと、第２の基準動作クロックで動作する第２のモジュールと、クロック生成モジュールを含む集積回路であって、
前記第１の基準動作クロックは前記第２の基準動作クロックより高周波数であり、
前記クロック生成モジュールは前記第１の基準動作クロックを生成し前記第１のモジュールに出力すること、を特徴とする集積回路。
【請求項２】
請求項１に記載の集積回路において、前記第１のモジュールは受信した前記第１の基準動作クロックを分周して前記第２の基準動作クロックを生成し、前記第２のモジュールに出力することを特徴とする集積回路。
【請求項３】
請求項１または２に記載の集積回路において、該集積回路はＲＦＩＣであること、を特徴とする集積回路。
【請求項４】
請求項１ないし３のいずれか１項に記載の集積回路を用いること、を特徴とする携帯端末装置。
【請求項５】
第１の基準動作クロックで動作する第１のモジュールと、前記第１の基準動作クロックより低周波数の第２の基準動作クロックで動作する第２のモジュールと、クロック生成モジュールを含む集積回路の基準動作クロックの制御方法であって、
前記クロック生成モジュールが前記第１の基準動作クロックを生成する第１基準動作クロック生成ステップと、
生成した前記第１の基準動作クロックを前記クロック生成モジュールが前記第１のモジュールに送信する第１基準動作クロック出力ステップを有すること、を特徴とする制御方法。
【請求項６】
請求項５に記載の制御方法において、前記第１のモジュールは分周回路を含み、
前記第１のモジュールの分周回路が前記第１の基準動作クロックを分周して前記第２の基準動作クロックを生成する第２基準動作クロック生成ステップと、
生成した前記第２の基準動作クロックを前記第１のモジュールが前記第２のモジュールに送信する第１基準動作クロック出力ステップを更に有すること、を特徴とする制御方法。
【発明の詳細な説明】
【技術分野】
【０００１】
本発明は、ＩＣ内で使われる複数のシステムクロック、基準動作クロックのブロック間送信方法、特にＲＦＩＣ内の電磁干渉が発生した場合にでも悪影響無く動作する基準動作クロックの送信方法に関する。
【背景技術】
【０００２】
近年の無線通信用途向け集積回路（ＲＦＩＣ）は多様な通信規格での動作が要求される。また、ベースバンドなどの外部インターフェイスもアナログ形式からＤｉｇ―ＲＦ規格等のデジタル形式に変わりつつある。ＲＦＩＣ内でデジタル処理が進むと、デジタル処理で動作の基準として用いられる使用クロックも多種多様となる。また、ＧＳＭやＷ−ＣＤＭＡなどの通信規格毎に使用する信号帯域も異なり、生成・使用するクロックも異なってくる。
【０００３】
従来のＲＦＩＣチップでは、ＩＣを制御するシステムクロック、各モジュール動作の基準となる基準動作クロックの生成は一つのクロック生成ブロックで集中して行い、各ブロックに所望周波数を分配する形で行っていた。例えば、１２４８ＭＨｚのＶＣＯ出力を４８分周することで２６ＭＨｚの周波数信号を生成し、これを位相比較することでＰＬＬをロックする。そして、位相比較による周波数補償を行った信号をＶＣＯに帰還させることで、精度の高い周波数信号を取り出し、これを用いて所望周波数を生成していた。
【０００４】
このように、クロック生成ブロックで集中して各モジュールの基準動作クロックを生成すると、ＲＦＩＣ内部におけるクロック信号の配線長が長くなり易い。デジタル回路の動作基準クロックはｎ次高調波成分を含むため、サイドバンドスプリアスノイズとして他のモジュールの動作に干渉する。特に信号帯域内や帯域近傍のスプリアスは障害発生の原因となる。そのため、通信規格やＲＦＩＣの外部インターフェイスの規格でも厳しい管理が求められることが多い。一方で、ＩＣのフィルタ抑圧度を考慮した場合、近傍スプリアスの除去は難しい。
【０００５】
特開２００４−１６５９４１号公報（特許文献１）には、このような問題の解決手段として、クロック信号を出力するクロック出力回路と、クロック信号を用いるクロック伝達対象との間の伝達経路に配置されたクロック配線に関して、該クロック配線に対して並行にＥＭＩ対策配線を配設するものがある。
【先行技術文献】
【特許文献】
【０００６】
【特許文献１】特開２００４−１６５９４１号公報
【発明の概要】
【発明が解決しようとする課題】
【０００７】
図１は本発明で取り扱うＷ−ＣＤＭＡプロトコルの受信信号に対する悪影響を説明するための概念図である。
【０００８】
この図は、縦軸を信号の周波数成分のスペクトラムを表す（単位はｄＢｍ）。また横軸は信号の周波数成分を表す（単位はＭＨｚ）。この縦軸と横軸の交点が入力信号の帯域の中心となる周波数であり、この周波数を中心として３．８４ＭＨｚの帯域に帯域拡散を行うことで送信される。
【０００９】
この図では、ノイズがのる帯域を３つに分けている。（１）インバウンドスプリアス、（２）アウトバウンドスプリアス（近傍）、（３）アウトバウンドスプリアス（遠方）の３種である。
【００１０】
（１）インバウンドスプリアスは信号として使用する帯域である為、フィルタの抑圧を行うことができない範囲である。（２）アウトバウンドスプリアス（近傍）は抑圧度が小さい範囲であり、（３）アウトバウンドスプリアス（遠方）はフィルタ抑圧度が十分であり、信号に悪影響を及ぼすことが無いと思われる帯域である。
【００１１】
図１に示すように、低周波のクロックは同程度の高次高調波成分を持っており２次・３次成分でも十分なフィルタ抑圧度が得られないと問題になる可能性が大きい。この高調波が図１の（１）及び（２）に飛び込むと、信号処理に悪影響を及ぼすことが考えられる。更には、このような低周波クロックが乱立するとお互いのミキシング（混変調）効果も含めて無数のスプリアスが発生する可能性も高い（オフセットスプリアス）。
【００１２】
またＷ−ＣＤＭＡプロトコルのように逆拡散によってノイズを拡散させることによりノイズ成分の影響を排除する方式であっても、問題は生じる。
【００１３】
図２はＷ−ＣＤＭＡプロトコルのような帯域逆拡散を行う場合のスプリアスノイズの問題を説明するための概念図である。
【００１４】
ＦＤＤ方式のＷ−ＣＤＭＡプロトコルでは、送信周波数（携帯端末から基地局：図２では「送信チャネル帯域」と称呼）と受信周波数（基地局から携帯端末：図２では「受信チャネル帯域」と称呼）は分離されている。図２上では、この分離されている間隔を「１）送受信オフセット周波数」、として表している。
【００１５】
受信の希望波（ｂ）はローカル信号とミキシングされてＤＣ帯域に変換される。また受信隣接チャネル妨害波（ｃ）は受信用のローカル信号の位相雑音とミキシングされて、同じＤＣ帯域に変換される。
【００１６】
更にはアンテナスイッチを介して、受信に漏れこむ送信妨害波（ａ）も、ローカル信号の位相雑音とミキシングされて同じＤＣ帯域に変換され、受信特性に影響を及ぼすことも考えられる。
【００１７】
同様に任意のスプリアスが受信希望波に重畳するとミキシングされて同一のＤＣ帯域に変換されて、受信特性に影響を与えるので問題となる。
【００１８】
送信チャネル帯域近傍に発生したノイズであっても、受信チャネル帯域から離れる方向に発生したノイズは問題にはならない（図２の○の領域）。図１の（３）アウトバンドスプリアス（遠方）に該当するためである。しかし、送信チャネル帯域と受信チャネル帯域の間（図２では「２）送受信上下限差分」）に発生したノイズに関しては、ＶＣＯにもノイズが載ると不要妨害波レベルが増加し、受信器の特性として無視しえなくなる場合がある（図２の△の領域）。
【００１９】
また、ミキサで受信信号と掛け合わされる受信用のローカル信号の高調波が送信チャネル帯域に悪影響を及ぼす可能性もある。図２（ａ）点に載るノイズがそれである。
【００２０】
更には送信側のスプリアスが、受信側に影響を及ぼすことも考えられる（図２（ｂ）点）。
【００２１】
特許文献１記載の発明では、妨害波の低減効果はあるものの、システム的に干渉しても影響の少ない周波数を使うことに関しては着眼していない。
【００２２】
本発明の目的は、スプリアスの低減を目的として、干渉要因となるブロック間の基準動作クロックの周波数を高周波とすることで十分なフィルタ除去効果を確保する手段を提供することにある。すなわち、十分なフィルタ抑圧度が得られない低周波数をブロック間の基準動作クロックで用いないことで、干渉してもシステム的に問題を生じさせない高次高調波のみの対策に限定できる手段を提供する。また副次的に、基本周波数を高くすることで、高次高調波成分の減衰が期待できる。
【００２３】
本発明の前記並びにその他の目的と新規な特徴は、本明細書の記述及び添付図面から明らかになるであろう。
【課題を解決するための手段】
【００２４】
本願において開示される発明のうち、代表的なものの概要を簡単に説明すれば、次の通りである。
【００２５】
本発明の代表的な実施の形態に関わる集積回路は、第１の基準動作クロックで動作する第１のモジュールと、第２の基準動作クロックで動作する第２のモジュールと、クロック生成モジュールを含み、第１の基準動作クロックは第２の基準動作クロックより高周波数であり、クロック生成モジュールは第１の基準動作クロックを生成し第１のモジュールに出力すること、を特徴とする。
【００２６】
この集積回路は前記第１のモジュールは受信した第１の基準動作クロックを分周して第２の基準動作クロックを生成し、第２のモジュールに出力することを特徴としてもよい。
【００２７】
また、この集積回路はＲＦＩＣであること、を特徴としてもよい。
【００２８】
更には、これらの集積回路を用いた携帯端末装置も本発明の射程に入る。
【００２９】
本発明の代表的な実施の形態に関わる集積回路の基準動作クロックの制御方法は、第１の基準動作クロックで動作する第１のモジュールと、第１の基準動作クロックより低周波数の第２の基準動作クロックで動作する第２のモジュールと、クロック生成モジュールを含む集積回路を対象とするものであって、クロック生成モジュールが第１の基準動作クロックを生成する第１基準動作クロック生成ステップと、生成した第１の基準動作クロックをクロック生成モジュールが第１のモジュールに送信する第１基準動作クロック出力ステップを有することを特徴とする。
【００３０】
この制御方法の対象となる集積回路の第１のモジュールは分周回路を含み、第１のモジュールの分周回路が第１の基準動作クロックを分周して第２の基準動作クロックを生成する第２基準動作クロック生成ステップと、生成した第２の基準動作クロックを第１のモジュールが第２のモジュールに送信する第２基準動作クロック出力ステップを更に有すること、を特徴としても良い。
【発明の効果】
【００３１】
本願において開示される発明のうち、代表的なものによって得られる効果を簡単に説明すれば以下の通りである。
【００３２】
本発明の代表的な実施の形態に関わるＩＣ内の各モジュール間基準動作クロックの送信方法を用いることで、スプリアスなどによる干渉の影響を防ぐことが可能となる。すなわち、干渉要因となるモジュール間で送信する基準動作クロックの周波数を高周波とし、それを受信したモジュール側で分周処理を施すことで、ｎ次高調波による影響を最小限とする。また、モジュール間で送信される基準動作クロック自体が高調波であるので、各モジュールにおけるフィルタの除去効果が十分に発揮でき、結果干渉による不具合を低減できる。
【図面の簡単な説明】
【００３３】
【図１】本発明で取り扱うＷ−ＣＤＭＡプロトコルの受信信号に対する悪影響を説明するための概念図である。
【図２】Ｗ−ＣＤＭＡプロトコルのような帯域逆拡散を行う場合のスプリアスノイズの問題を説明するための概念図である。
【図３】本発明の実施の形態に関わるＲＦＩＣのモジュールレイアウトの概略図である。
【図４】従来のＲＦＩＣのモジュールレイアウトの概略図である。
【図５】本発明の実施の形態のクロック生成モジュールの概念図である。
【図６】従来のＲＦＩＣで用いられていたクロック生成モジュールの概念図である。
【発明を実施するための形態】
【００３４】
以下、図を用いて本発明の実施の形態を説明する。
【００３５】
（実施の形態）
図３は本発明の実施の形態に関わるＲＦＩＣのモジュールレイアウトの概略図であり、図４は従来のＲＦＩＣのモジュールレイアウトの概略図である。
【００３６】
従来のＲＦＩＣは、＃１送信側モジュール１１、＃２送信側モジュール１２、＃３送信側モジュール１３、送信側ＰＬＬ１４、送信側ミキサ１５、送信側ＰＡ・送信側ＡＤＣ１６、＃１受信側モジュール２１、＃２受信側モジュール２２、＃３受信側モジュール２３、＃４受信側モジュール２４、受信側ＰＬＬ２５、受信側ミキサ２６、論理回路３１、入出力Ｉ／Ｆ３２、クロック生成モジュール３３を含んで構成される。また外部にＴＣＸＯ１００を設け、クロック生成モジュールに対して参照クロック信号を出力している。
【００３７】
＃１送信側モジュール１１、＃２送信側モジュール１２、＃３送信側モジュール１３は送信用回路の各種機能を提供するモジュールである。一般的なＲＦＩＣであれば、ローカル信号生成モジュール、可変ゲイン制御モジュール、デジタル・アナログコンバータが対応する。しかし各モジュールに何を割り当てるかは設計事項である。
【００３８】
送信側ＰＬＬ１４は送信用のローカル信号を生成するモジュールであり、このローカル信号は送信側ミキサ１５に出力される。
【００３９】
送信側ミキサ１５は、送信信号とローカル信号をミキシングして、高周搬送波変調信号を生成するミキサ回路である。この高周搬送波変調信号が図示しないデュプレクサ等を介して携帯端末外部に出力される。
【００４０】
＃１受信側モジュール２１、＃２受信側モジュール２２、＃３受信側モジュール２３、＃４受信側モジュール２４は受信用回路の各種機能を提供するモジュールである。一般的なＲＦＩＣであれば、ローカル信号生成モジュール、アナログ・デジタルコンバータ、低ノイズ増幅器、プログラマブルゲインアンプ（ＰＧＡ）がそれぞれに対応する。
【００４１】
通常の受信器であれば、ａ）低ノイズ増幅器、ｂ）ミキサ、ｃ）ＰＧＡ、ｄ）アナログ・デジタルコンバータ、ｅ）デジタルフィルタ（本図の受信用デジタルフィルタ３１）、ｆ）入出力Ｉ／Ｆ３２の接続順になるが、用途、適用プロトコル、復調方法（スーパーヘテロダインか、ダイレクトコンバージョンか）等によって部品が入れ替わるために、これには限定しない。
【００４２】
受信側ＰＬＬ２５は、受信用のローカル信号（受信側ローカル信号）を生成するモジュールである。この受信側ローカル信号は＃１受信側モジュール２１を介して受信側ミキサ２６に出力される。
【００４３】
受信側ミキサ２６は、受信側ローカル信号とアンテナを介して入力される高周搬送波変調信号をミキシングして、ベースバンド信号を抽出するミキサ回路である。このベースバンド信号は論理回路３１などで処理された後、入出力Ｉ／Ｆ３２を介して図示しないベースバンドチップに送出される。
【００４４】
論理回路３１は、図示しないベースバンドチップに送出するデータ及び図示しないベースバンドチップから送出されたデータを処理するための論理回路である。この論理回路中には受信用デジタルフィルタ３１−２も含まれる。
【００４５】
入出力Ｉ／Ｆ３２は、図示しないベースバンドチップとの間でデジタル形式での送受信を行うためのインターフェイス回路である。
【００４６】
クロック生成モジュール３３は各モジュールで使用する基準動作クロックを生成するためのＰＬＬ回路及び分周器群である。
【００４７】
ＴＣＸＯ１００は、クロック生成モジュール３３で用いる参照クロック信号を生成する水晶発振子などである。このＴＣＸＯ１００が出力する信号にのるノイズが他のモジュールに悪影響を及ぼす可能性がある。
【００４８】
従来のＲＦＩＣでは、このクロック生成モジュール３３において各モジュールで使用する基準クロックを全て生成していた。なぜなら、１モジュールで集中して分周等の処理を行うほうが回路規模の面で有利だからである。
【００４９】
しかし、図４でも明らかな通り、クロック生成モジュール３３で全てのモジュールの基準動作クロックを生成し、それを各モジュールに送信すると、動作クロックの配線長が長くなりがちである。これは先に説明したスプリアスノイズ対策で多くの問題を生じる原因となる。
【００５０】
一方、図３に表す本発明に関わるＲＦＩＣにおいても、＃１送信側モジュール１１、＃２送信側モジュール１２、＃３送信側モジュール１３ｂ、送信側ＰＬＬ１４、送信側ミキサ１５、送信側ＰＡ・送信側ＤＡＣ１６、＃１受信側モジュール２１、＃２受信側モジュール２２ｂ、＃３受信側モジュール２３、＃４受信側モジュール２４、受信側ＰＬＬ２５、受信側ミキサ２６、論理回路３１、入出力Ｉ／Ｆ３２、クロック生成モジュール３３ｂを含んで構成される。
【００５１】
本実施の形態では、従来のＲＦＩＣと異なり、クロック生成モジュール３３ｂでは必要最低限の基準動作クロックのみを生成する。その生成した基準動作クロックを特定のモジュール（図３では＃３送信側モジュール１３ｂと＃２受信側モジュール２２ｂ）に対して出力する。
【００５２】
この基準動作クロックを受けた、＃３送信側モジュール１３ｂと＃２受信側モジュール２２ｂはそれぞれで、さらに分周をかけ、新たな基準動作クロックを作成する。そしてこの新たな基準動作クロックを別のモジュールに対して出力する。図３においては、＃３送信側モジュール１３ｂは送信側ミキサ１５に対して、＃２受信側モジュール２２ｂは＃４受信側モジュール２４に対して新たな基準動作クロックを出力する。なお、図４の＃３送信側モジュール１３、＃２受信側モジュール２２と図３の＃３送信側モジュール１３ｂ、＃２受信側モジュール２２ｂは分周器の有無で相違するのみである（別途に機能の相違がある場合は除く）。すなわち、送信系、受信系、ベースバンド入出力系（論理回路３１、入出力Ｉ／Ｆ３２）に各一本ずつ基準動作クロックを送り、そこから分配することで、ノイズの発生源である基準動作クロックを引き回す信号線長を短くすることができる。
【００５３】
この際、モジュール間（クロック生成モジュール３３ｂと＃３送信側モジュール１３ｂ、及びクロック生成モジュール３３ｂと＃２受信側モジュール２２ｂ）で送受信される基準動作クロックを、個々のモジュールで用いる基準動作クロックのそれよりも高い周波数のもの（高周波信号）を用いる。すなわち、モジュール間でやりとりされる基準動作クロックをフィルタによって容易に排除できる構成とする。
【００５４】
また、モジュール間でやりとりされる基準動作クロックが個々のモジュールで用いる基準動作クロックのそれよりも高いとｎ次高調波が問題となりにくい。ｎ次高調波がモジュール間でやりとりされる基準動作クロックの周波数より高い周波数になるためである。すなわちモジュール間でやりとりされる基準動作クロックの基本周波数が高いため、ｎ次高調波の減衰が期待できる。
【００５５】
このように、クロック生成モジュールで作成する基準動作クロックを絞り込むことで、クロック生成モジュール自体を縮小することも可能になる。図５は本実施の形態のクロック生成モジュール３３ｂの概念図であり、図６は従来のＲＦＩＣで用いられていたクロック生成モジュール３３の概念図である。
【００５６】
クロック生成モジュールを大別すると、位相比較器１０１、チャージポンプ・フィルタ１０２、ＶＣＯ１０３、分周器群１０４を含んで構成される。
【００５７】
位相比較器１０１はＴＣＸＯ１００の出力する参照クロック信号の位相と、分周器群１０４が出力する位相比較信号の位相とを比較しその差に応じた電圧をチャージポンプ・フィルタ１０２に出力する位相比較回路である。
【００５８】
チャージポンプ・フィルタ１０２は位相比較器１０１の信号の電圧を上昇させると共にノイズを除去してＶＣＯ１０３の動作を安定させるための、チャージポンプ及びフィルタ回路の総称である。このチャージポンプ・フィルタ１０２の出力はＶＣＯ１０３に出力される。
【００５９】
ＶＣＯ１０３は、チャージポンプ・フィルタ１０２の出力電圧に応じた周波数信号を出力する電圧制御発振器（Ｖｏｌｔａｇｅ  Ｃｏｎｔｒｏｌｌｅｄ  Ｏｓｃｉｌｌａｔｅｒ）である。
【００６０】
分周器群１０４は、ＶＣＯが出力する周波数信号を適宜分周するための分周回路群である。図上では「１／ｎ」（ｎ＝正の整数）で記載されているブロックが分周器である。また図上の「Ｓｅｌ」は状況に応じて分周比を切り替えるためのセレクタである。本発明においては、分周器及びセレクタの組み合わせは設計事項であり、図はあくまでも一例である。この分周器群１０４の出力のひとつが位相比較信号となって、位相比較器１０１に入力される。また他の信号は、対応するモジュールに出力される。
【００６１】
これらの位相比較器１０１、チャージポンプ・フィルタ１０２、ＶＣＯ１０３、分周器群１０４によってフィードバック制御を実現し、出力周波数の信頼性を高めることが図５及び図６のクロック生成モジュールの機能である。
【００６２】
ここで、従来のＲＦＩＣで用いられていたクロック生成モジュール３３では、内部で用いられるほぼ全ての周波数の基準動作クロックを生成していた。従って、図６で表すように、クロック生成モジュール３３の回路規模は大きく、生成した基準動作クロックの出力先も多くなっている。
【００６３】
これに対し、図５で表す、本実施の形態に関わるクロック生成モジュール３３ｂでは、出力するモジュールの数が減っているため、生成する基準動作クロックの数も減っている（出力端子数を参照のこと）。従って、回路規模も自ずと小さくなる。当然、図３の＃３送信側モジュール１３ｂ、＃２受信側送信モジュール２２ｂなどの基準動作クロックの分配を行うモジュールに対して、図示しない分周器などの回路が設けられることは避けられないが、少なくともクロック生成モジュール３３ｂの配置の自由度は増す。
【００６４】
このような構成を取ることでＲＦＩＣ内部のｎ次高調波を含む方形波状の基準動作クロックを流す信号線長を短縮し、かつモジュール間で流す基準動作クロックを高周波信号とすることで信号線スプリアスノイズ対策を行うことを特徴とする。
【００６５】
また、この基準動作クロックを流す信号線に流す信号の周波数を、送受信に関連する回路、モジュール上で用いる周波数と大きくはなれた高周波数を用いることで、干渉の影響を低減、無視することも可能である。
【００６６】
また、必要な基準動作クロックをモジュール内で生成するため、他ブロックとの余計な干渉を減らすことも期待できる。
【００６７】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【００６８】
また、上述のＲＦＩＣを用いた携帯端末装置なども本発明の射程に含まれる。
【産業上の利用可能性】
【００６９】
本発明は、ＲＦＩＣなどの高周波システムクロックを用いるＩＣに対して適用することを考慮したものである。しかし、必ずしも無線関係に限らず、高周波を用い、かつ複数の基準動作クロックを有するものであれば、いずれの用途にも適用可能である。
【符号の説明】
【００７０】
１１…＃１送信側モジュール、１２…＃２送信側モジュール、
１３、１３ｂ…＃３送信側モジュール、１４…送信側ＰＬＬ、１５…送信側ミキサ、
１６…送信側ＰＡ・送信側ＡＤＣ、２１…＃１受信側モジュール、
２２、２２ｂ…＃２受信側モジュール、２３…＃３受信側モジュール、
２４…＃４受信側モジュール、２５…受信側ＰＬＬ、２６…受信側ミキサ、
３１…論理回路、３１−２…受信用デジタルフィルタ、３２…入出力Ｉ／Ｆ、
３３、３３ｂ…クロック生成モジュール、１００…ＴＣＸＯ、
１０１…位相比較器、１０２…チャージポンプ・フィルタ、１０３…ＶＣＯ、
１０４…分周器群。
【図１】
2010258750.tif 000003
【図２】
2010258750.tif 000004
【図３】
2010258750.tif 000005
【図４】
2010258750.tif 000006
【図５】
2010258750.tif 000007
【図６】
2010258750.tif 000008